(57)【要約】【課題】周囲の雑音を集音するマイクロフォンから信号処理回路までの配線に重畳するノイズを小さくして、効果的な雑音除去を行うことができるノイズキャンセラ、ノイズキャンセラを有する集音装置及びノイズキャンセラを有する携帯電話機を得る。【解決手段】所望の音を集音する第１マイクロフォン２から離れた位置に配置された周囲の雑音を集音する第２マイクロフォン３の出力信号を増幅する第２増幅回路５を、第２マイクロフォン３の近傍に配置するようにした。【選択図】図１
2008035356.tif 000002
【特許請求の範囲】
【請求項１】
第１マイクロフォンで集音した所望の音から周囲の雑音を除去するノイズキャンセラにおいて、
前記第１マイクロフォンから離れた場所に配置された、周囲の雑音を集音する第２マイクロフォンと、
該第２マイクロフォンの出力信号を増幅して出力する第２増幅回路部と、
該第２増幅回路部の出力信号を用いて前記第１マイクロフォンで集音した音から周囲の雑音を除去する信号処理回路部と、
を備え、
前記第２増幅回路部は、前記第２マイクロフォンの近傍に配置されることを特徴とするノイズキャンセラ。
【請求項２】
前記第２増幅回路部の出力信号をＡ／Ｄ変換して出力する第２Ａ／Ｄ変換回路部を備え、該第２Ａ／Ｄ変換回路部は前記第２増幅回路部の近傍に配置されることを特徴とする請求項１記載のノイズキャンセラ。
【請求項３】
前記信号処理回路部は、前記第１マイクロフォンの出力信号を増幅しＡ／Ｄ変換して得られた信号から、前記第２Ａ／Ｄ変換回路部の出力信号を減算して前記第１マイクロフォンで集音した音から周囲の雑音を除去することを特徴とする請求項２記載のノイズキャンセラ。
【請求項４】
前記第２増幅回路部は、１つのＩＣに集積され、前記信号処理回路部は、他の１つのＩＣに集積されることを特徴とする請求項１記載のノイズキャンセラ。
【請求項５】
前記第２増幅回路部及び第２Ａ／Ｄ変換回路部は、１つのＩＣに集積され、前記信号処理回路部は、他の１つのＩＣに集積されることを特徴とする請求項２記載のノイズキャンセラ。
【請求項６】
第１マイクロフォンで集音した所望の音から周囲の雑音を除去するノイズキャンセラを有する集音装置において、
前記ノイズキャンセラは、
前記第１マイクロフォンから離れた場所に配置された、周囲の雑音を集音する第２マイクロフォンと、
該第２マイクロフォンの出力信号を増幅して出力する第２増幅回路部と、
該第２増幅回路部の出力信号を用いて前記第１マイクロフォンで集音した音から周囲の雑音を除去する信号処理回路部と、
を備え、
前記第２増幅回路部は、前記第２マイクロフォンの近傍に配置されることを特徴とする集音装置。
【請求項７】
前記ノイズキャンセラは、前記第２増幅回路部の出力信号をＡ／Ｄ変換して出力する第２Ａ／Ｄ変換回路部を備え、該第２Ａ／Ｄ変換回路部は前記第２増幅回路部の近傍に配置されることを特徴とする請求項６記載の集音装置。
【請求項８】
前記第１マイクロフォンの出力信号を増幅して出力する第１増幅回路部と、該第１増幅回路部の出力信号をＡ／Ｄ変換して出力する第１Ａ／Ｄ変換回路部とを備え、前記第１増幅回路部は、前記第１マイクロフォンの近傍に配置されることを特徴とする請求項７記載の集音装置。
【請求項９】
前記第１Ａ／Ｄ変換回路部は、前記第１増幅回路部の近傍に配置されることを特徴とする請求項８記載の集音装置。
【請求項１０】
前記信号処理回路部は、前記第１Ａ／Ｄ変換回路部の出力信号から、前記第２Ａ／Ｄ変換回路部の出力信号を減算して前記第１マイクロフォンで集音した音から周囲の雑音を除去することを特徴とする請求項８又は９記載の集音装置。
【請求項１１】
前記第２増幅回路部は、１つのＩＣに集積され、前記信号処理回路部は、他の１つのＩＣに集積されることを特徴とする請求項６記載の集音装置。
【請求項１２】
前記第２増幅回路部及び第２Ａ／Ｄ変換回路部は、１つのＩＣに集積され、前記信号処理回路部は、他の１つのＩＣに集積されることを特徴とする請求項７記載の集音装置。
【請求項１３】
前記第１増幅回路部は、１つのＩＣに集積されることを特徴とする請求項８記載の集音装置。
【請求項１４】
前記第１増幅回路部及び第１Ａ／Ｄ変換回路部は、１つのＩＣに集積されることを特徴とする請求項９記載の集音装置。
【請求項１５】
第１マイクロフォンで集音した送話音声から周囲の雑音を除去するノイズキャンセラを有する携帯電話機において、
前記ノイズキャンセラは、
前記第１マイクロフォンから離れた場所に配置された、周囲の雑音を集音する第２マイクロフォンと、
該第２マイクロフォンの出力信号を増幅して出力する第２増幅回路部と、
該第２増幅回路部の出力信号を用いて前記第１マイクロフォンで集音した音から周囲の雑音を除去する信号処理回路部と、
を備え、
前記第２増幅回路部は、前記第２マイクロフォンの近傍に配置されることを特徴とする携帯電話機。
【請求項１６】
前記ノイズキャンセラは、前記第２増幅回路部の出力信号をＡ／Ｄ変換して出力する第２Ａ／Ｄ変換回路部を備え、該第２Ａ／Ｄ変換回路部は前記第２増幅回路部の近傍に配置されることを特徴とする請求項１５記載の携帯電話機。
【請求項１７】
前記第１マイクロフォンの出力信号を増幅して出力する第１増幅回路部と、該第１増幅回路部の出力信号をＡ／Ｄ変換して出力する第１Ａ／Ｄ変換回路部とを備え、前記第１増幅回路部は、前記第１マイクロフォンの近傍に配置されることを特徴とする請求項１６記載の携帯電話機。
【請求項１８】
前記第１Ａ／Ｄ変換回路部は、前記第１増幅回路部の近傍に配置されることを特徴とする請求項１７記載の携帯電話機。
【請求項１９】
前記信号処理回路部は、前記第１Ａ／Ｄ変換回路部の出力信号から、前記第２Ａ／Ｄ変換回路部の出力信号を減算して前記第１マイクロフォンで集音した送話音声から周囲の雑音を除去することを特徴とする請求項１７又は１８記載の携帯電話機。
【請求項２０】
前記第２マイクロフォンは、携帯電話機の筐体における通話時の上部外側に設けられることを特徴とする請求項１５、１６、１７、１８又は１９記載の携帯電話機。
【請求項２１】
前記第２増幅回路部は、１つのＩＣに集積され、前記信号処理回路部は、他の１つのＩＣに集積されることを特徴とする請求項１５記載の携帯電話機。
【請求項２２】
前記第２増幅回路部及び第２Ａ／Ｄ変換回路部は、１つのＩＣに集積され、前記信号処理回路部は、他の１つのＩＣに集積されることを特徴とする請求項１６記載の携帯電話機。
【請求項２３】
前記第１増幅回路部は、１つのＩＣに集積されることを特徴とする請求項１７記載の携帯電話機。
【請求項２４】
前記第１増幅回路部及び第１Ａ／Ｄ変換回路部は、１つのＩＣに集積されることを特徴とする請求項１８記載の携帯電話機。
【発明の詳細な説明】
【技術分野】
【０００１】
本発明は、集音装置や携帯電話機等に使用されるノイズキャンセラに関し、特に、集音した所望の音から周囲の雑音を除去するノイズキャンセラ、ノイズキャンセラを有する集音装置及びノイズキャンセラを有する携帯電話機に関する。
【背景技術】
【０００２】
携帯電話機で通話を行う場合、地下鉄等の騒音の大きい場所での通話は、周囲の雑音が相手方にも伝わり聞き取りにくくなる。このため、従来、周囲の雑音をキャンセルするいわゆるノイズキャンセラが数多く提案されている。ノイズキャンセラの方式は、送話者の音声を集音する第１マイクロフォンと、周囲の雑音を集音する第２マイクロフォンとを使用し、第１マイクロフォンから出力された電気信号から、第２マイクロフォンから出力された電気信号を減算することで雑音を除去するようにしていた（例えば、特許文献１及び２参照。）。
また、ノイズを有効に除去するためには、前記第１マイクロフォンと第２マイクロフォンの配置も重要であり、該配置に関して多くの提案がなされていた（例えば、特許文献３参照。）。
【特許文献１】特開平９−３３１３７７号公報
【特許文献２】特開平９−３６７６３号公報
【特許文献３】ＷＯ２００４／０３４７３４号公報
【発明の開示】
【発明が解決しようとする課題】
【０００３】
しかし、従来のノイズキャンセラは、第１マイクロフォン又は第２マイクロフォンから音声処理回路に至る配線上に重畳される電気ノイズに関しては考慮されていなかった。第１マイクロフォンと第２マイクロフォンは通常、離して配置されている。例えば、第１のマイクロフォンはできるだけ送話者の口元に近い場所に配置されるのに対し、第２マイクロフォンは、周囲の雑音を拾いやすくするために、第１マイクロフォンの裏側で、受話スピーカ近くに配置されることが多かった。このように配置された場合は、第１マイクロフォンと第２マイクロフォンとの距離は１０ｃｍ以上も離れることになる。
【０００４】
音声処理回路を集積した音声処理ＬＳＩは１つであり、音声処理ＬＳＩを第１マイクロフォンの近傍に配置した場合、第２マイクロフォンから音声処理ＬＳＩまでの距離が長くなり、この間の配線に電気ノイズが重畳する可能性があった。
更に、第２マイクロフォンと音声処理ＬＳＩの間にＬＣＤ表示器が配置されている場合、第２マイクロフォンから音声処理ＬＳＩまでの配線は、ＬＣＤドライブ用クロック信号の近傍を通ることになり、第２マイクロフォンからの電気信号にはＬＣＤドライブ用クロック信号によるノイズが重畳される。このようにして、第２マイクロフォンからの電気信号に電気ノイズが含まれると、効果的な雑音除去ができなくなるという問題があった。
【０００５】
本発明は、このような問題を解決するためになされたものであり、周囲の雑音を集音するマイクロフォンから信号処理回路までの配線に重畳するノイズを小さくして、効果的な雑音除去を行うことができるノイズキャンセラ、ノイズキャンセラを有する集音装置及びノイズキャンセラを有する携帯電話機を得ることを目的とする。
【課題を解決するための手段】
【０００６】
この発明に係るノイズキャンセラは、第１マイクロフォンで集音した所望の音から周囲の雑音を除去するノイズキャンセラにおいて、
前記第１マイクロフォンから離れた場所に配置された、周囲の雑音を集音する第２マイクロフォンと、
該第２マイクロフォンの出力信号を増幅して出力する第２増幅回路部と、
該第２増幅回路部の出力信号を用いて前記第１マイクロフォンで集音した音から周囲の雑音を除去する信号処理回路部と、
を備え、
前記第２増幅回路部は、前記第２マイクロフォンの近傍に配置されるものである。
【０００７】
また、前記第２増幅回路部の出力信号をＡ／Ｄ変換して出力する第２Ａ／Ｄ変換回路部を備え、該第２Ａ／Ｄ変換回路部は前記第２増幅回路部の近傍に配置されるようにした。
【０００８】
この場合、前記信号処理回路部は、前記第１マイクロフォンの出力信号を増幅しＡ／Ｄ変換して得られた信号から、前記第２Ａ／Ｄ変換回路部の出力信号を減算して前記第１マイクロフォンで集音した音から周囲の雑音を除去するようにした。
【０００９】
また、前記第２増幅回路部を１つのＩＣに集積するようにしてもよく、又は前記第２増幅回路部及び第２Ａ／Ｄ変換回路部を１つのＩＣに集積するようにしてもよく、これらの場合、前記信号処理回路部は、他の１つのＩＣに集積されるようにしてもよい。
【００１０】
また、この発明に係る集音装置は、第１マイクロフォンで集音した所望の音から周囲の雑音を除去するノイズキャンセラを有する集音装置において、
前記ノイズキャンセラは、
前記第１マイクロフォンから離れた場所に配置された、周囲の雑音を集音する第２マイクロフォンと、
該第２マイクロフォンの出力信号を増幅して出力する第２増幅回路部と、
該第２増幅回路部の出力信号を用いて前記第１マイクロフォンで集音した音から周囲の雑音を除去する信号処理回路部と、
を備え、
前記第２増幅回路部は、前記第２マイクロフォンの近傍に配置されるものである。
【００１１】
また、前記ノイズキャンセラは、前記第２増幅回路部の出力信号をＡ／Ｄ変換して出力する第２Ａ／Ｄ変換回路部を備え、該第２Ａ／Ｄ変換回路部は前記第２増幅回路部の近傍に配置されるようにした。
【００１２】
また、前記第１マイクロフォンの出力信号を増幅して出力する第１増幅回路部と、該第１増幅回路部の出力信号をＡ／Ｄ変換して出力する第１Ａ／Ｄ変換回路部とを備え、前記第１増幅回路部は、前記第１マイクロフォンの近傍に配置されるようにした。
【００１３】
この場合、前記第１Ａ／Ｄ変換回路部を、前記第１増幅回路部の近傍に配置するようにした。
【００１４】
また、前記信号処理回路部は、前記第１Ａ／Ｄ変換回路部の出力信号から、前記第２Ａ／Ｄ変換回路部の出力信号を減算して前記第１マイクロフォンで集音した音から周囲の雑音を除去するようにした。
【００１５】
また、前記第２増幅回路部を１つのＩＣに集積するようにしてもよく、又は前記第２増幅回路部及び第２Ａ／Ｄ変換回路部を１つのＩＣに集積するようにしてもよく、これらの場合、前記信号処理回路部は、他の１つのＩＣに集積されるようにしてもよい。
【００１６】
また、前記第１増幅回路部を１つのＩＣに集積するようにしてもよく、前記第１増幅回路部及び第１Ａ／Ｄ変換回路部を１つのＩＣに集積するようにしてもよい。
【００１７】
また、この発明に係る携帯電話機は、第１マイクロフォンで集音した送話音声から周囲の雑音を除去するノイズキャンセラを有する携帯電話機において、
前記ノイズキャンセラは、
前記第１マイクロフォンから離れた場所に配置された、周囲の雑音を集音する第２マイクロフォンと、
該第２マイクロフォンの出力信号を増幅して出力する第２増幅回路部と、
該第２増幅回路部の出力信号を用いて前記第１マイクロフォンで集音した音から周囲の雑音を除去する信号処理回路部と、
を備え、
前記第２増幅回路部は、前記第２マイクロフォンの近傍に配置されるようにした。
【００１８】
また、前記ノイズキャンセラは、前記第２増幅回路部の出力信号をＡ／Ｄ変換して出力する第２Ａ／Ｄ変換回路部を備え、該第２Ａ／Ｄ変換回路部は前記第２増幅回路部の近傍に配置されるようにした。
【００１９】
また、前記第１マイクロフォンの出力信号を増幅して出力する第１増幅回路部と、該第１増幅回路部の出力信号をＡ／Ｄ変換して出力する第１Ａ／Ｄ変換回路部とを備え、前記第１増幅回路部は、前記第１マイクロフォンの近傍に配置されるようにした。
【００２０】
この場合、前記第１Ａ／Ｄ変換回路部は、前記第１増幅回路部の近傍に配置されるようにした。
【００２１】
また、前記信号処理回路部は、前記第１Ａ／Ｄ変換回路部の出力信号から、前記第２Ａ／Ｄ変換回路部の出力信号を減算して前記第１マイクロフォンで集音した送話音声から周囲の雑音を除去するようにした。
【００２２】
具体的には、前記第２マイクロフォンは、携帯電話機の筐体における通話時の上部外側に設けられるようにした。
【００２３】
また、前記第２増幅回路部を１つのＩＣに集積するようにしてもよく、又は前記第２増幅回路部及び第２Ａ／Ｄ変換回路部を１つのＩＣに集積するようにしてもよく、これらの場合、前記信号処理回路部は、他の１つのＩＣに集積されるようにしてもよい。
【００２４】
また、前記第１増幅回路部を１つのＩＣに集積するようにしてもよく、前記第１増幅回路部及び第１Ａ／Ｄ変換回路部を１つのＩＣに集積するようにしてもよい。
【発明の効果】
【００２５】
本発明のノイズキャンセラ、ノイズキャンセラを有する集音装置及びノイズキャンセラを有する携帯電話機によれば、第１マイクロフォンから離れた場所に配置された周囲の雑音を集音する第２マイクロフォンの出力信号を増幅して出力する第２増幅回路部を、前記第２マイクロフォンの近傍に配置するようにした。このことから、周囲の雑音を集音するマイクロフォンから信号処理回路までの配線に重畳するノイズを小さくすることができ、効果的な雑音除去を行うことができる。
【００２６】
また、前記第２増幅回路部の出力信号をＡ／Ｄ変換して出力する第２Ａ／Ｄ変換回路部を備え、該第２Ａ／Ｄ変換回路部を前記第２増幅回路部の近傍に配置するようにしたことから、信号処理回路までの配線に重畳するノイズを更に小さくすることができ、更に効果的な雑音除去を行うことができ雑音除去比を向上させることができる。
【００２７】
また、本発明のノイズキャンセラを有する集音装置及びノイズキャンセラを有する携帯電話機において、第１マイクロフォンの出力信号を増幅して出力する第１増幅回路部を第１マイクロフォンの近傍に配置するか、又は、更に第１増幅回路部の出力信号をＡ／Ｄ変換して出力する第１Ａ／Ｄ変換回路部を第１増幅回路部の近傍に配置するようにしたことから、信号処理回路部を含むＬＳＩの配置の自由度が大きくなり、携帯電話機等のノイズキャンセラを有する機器におけるデザイン上の自由度を大きくすることができる。
【発明を実施するための最良の形態】
【００２８】
次に、図面に示す実施の形態に基づいて、本発明を詳細に説明する。
第１の実施の形態．
図１は、本発明の第１の実施の形態におけるノイズキャンセラを有する集音装置の構成例を示した図である。
図１において、集音装置１は、所望の音を集音する第１マイクロフォン２と、周囲の雑音を集音する第２マイクロフォン３と、第１マイクロフォン２の出力信号を増幅する第１増幅回路４と、第２マイクロフォン３の出力信号を増幅する第２増幅回路５と、第１増幅回路４の出力信号をＡ／Ｄ変換する第１Ａ／Ｄ変換回路６と、第２増幅回路５の出力信号をＡ／Ｄ変換する第２Ａ／Ｄ変換回路７と、デジタル信号処理回路８とを備えている。
【００２９】
また、第２マイクロフォン３、第２増幅回路５、第２Ａ／Ｄ変換回路７及びデジタル信号処理回路８は、ノイズキャンセラ１０を構成している。
第２増幅回路５は、第２マイクロフォン３の近傍に配置され、デジタル信号処理回路８は、第１Ａ／Ｄ変換回路６から入力されたデジタル信号から第２Ａ／Ｄ変換回路７から入力されたデジタル信号を減算して出力し、第１マイクロフォン２で集音した音から周囲の雑音を除去する。なお、第１増幅回路４は第１増幅回路部を、第２増幅回路５は第２増幅回路部を、第１Ａ／Ｄ変換回路６は第１Ａ／Ｄ変換回路部を、第２Ａ／Ｄ変換回路７は第２Ａ／Ｄ変換回路部を、デジタル信号処理回路８は信号処理回路部をそれぞれなす。
【００３０】
図２及び図３は、図１の集音装置１を携帯電話機に使用した場合の例を示した図であり、図２（ａ）は使用状態における略正面から見た外観図であり、図２（ｂ）は図１で示した集音装置１の各部の配置例を示した図であり、図３は集音装置１の各部の配置例を示した概略のブロック図である。
図２で示しているように、携帯電話機１１は、１０キー等の操作部を備えた第１筐体部１２と、ＬＣＤ表示器１５を備えた第２筐体部１３と、第１筐体部１２と第２筐体部１３を折り曲げ自在に接続しているヒンジ部１４とを備えている。また、第１マイクロフォン２は、通話時における第１筐体部１２の下部、すなわち通話時における携帯電話機の筐体の下部に配置されている。第２筐体部１３には、通話時における第２筐体部１３の上部、すなわち通話時における携帯電話機の筐体の上部に受話スピーカ１６が配置されており、第２マイクロフォン３は、受話スピーカ１６が配置された面の裏側の面における通話時の第２筐体部１３の上部、すなわち通話時における携帯電話機の筐体の上部外側に設けられている。
【００３１】
図２及び図３で示しているように、第１マイクロフォン２の近傍には、第１増幅回路４、第１Ａ／Ｄ変換回路６、第２Ａ／Ｄ変換回路７及びデジタル信号処理回路８が内蔵された音声処理ＬＳＩ１７が配置されている。また、第２マイクロフォン３の近傍には第２増幅回路５が配置されており、第２増幅回路５の出力信号は、配線を介して音声処理ＬＳＩ１７内の第２Ａ／Ｄ変換回路７に入力されている。このように、第１マイクロフォン２の近傍に音声処理ＬＳＩ１７を配置することにより、第１マイクロフォン２から音声処理ＬＳＩ１７までの配線経路を短くすることができ、該配線経路に重畳される電気ノイズを少なくすることができる。また、第２増幅回路５が第２マイクロフォン３の近傍に配置されるようにしたことから、第２マイクロフォン３から第２増幅回路５までの配線経路を短くすることができ、該配線経路に重畳される電気ノイズを少なくすることができる。
【００３２】
第２増幅回路５の出力信号は音声処理ＬＳＩ１７に入力されるが、第２マイクロフォン３の出力信号は、第２増幅回路５で増幅されると共に出力インピーダンスが低下するため、第２増幅回路５から音声処理ＬＳＩ１７までの配線が長くなり、途中に雑音源があっても第２増幅回路５から出力される信号に重畳される電気ノイズの量を極めて小さくすることができる。これらのことから、音声処理ＬＳＩ１７には、第２マイクロフォン３で集音される雑音信号が精度よく入力されるため、効果的な雑音除去を行うことができる。なお、図２及び図３の場合、第２増幅回路５は１つのＩＣに集積されるようにしてもよい。
【００３３】
一方、図２及び図３では、第２Ａ／Ｄ変換回路７を音声処理ＬＳＩ１７内に設けるようにした場合を例にして示したが、第２Ａ／Ｄ変換回路７を第２増幅回路５の近傍に配置するようにしてもよく、このようにした場合、図３は図４のようになる。図４のようにすることにより、第２増幅回路５の出力信号をデジタル信号に変換し、配線を介して該デジタル信号を離れた位置に配置された音声処理ＬＳＩ１７内のデジタル信号処理回路８に入力するようにしたことから、該配線に重畳するノイズを更に減少させることができる。なお、図４の場合、第２増幅回路５及び第２Ａ／Ｄ変換回路７を１つのＩＣに集積するようにしてもよい。また、第２マイクロフォン３、第２増幅回路５及び第２Ａ／Ｄ変換回路７の代わりに、Ａ／Ｄ変換回路を内蔵したＭＥＭＳマイクモジュールを使用してもよい。
【００３４】
また、図２から図４では、音声処理ＬＳＩ１７内に第１増幅回路４を内蔵する場合を例にして示したが、第１増幅回路４を音声処理ＬＳＩ１７外の第１マイクロフォン２の近傍に配置し、音声処理ＬＳＩ１７を第１マイクロフォン２から離れた位置に配置するようにしてもよく、このようにした場合、図４を例にすると図４は図５のようになる。このようにすることにより、図４の場合と同様の効果を得ることができると共に、音声処理ＬＳＩ１７の配置の自由度が大きくなり、集音装置１を使用した携帯電話機等の機器のデザインに対する制約を少なくすることができる。なお、図５の場合、第１増幅回路４を１つのＩＣに集積するようにしてもよい。
【００３５】
また、図５では、第１Ａ／Ｄ変換回路６が音声処理ＬＳＩ１７内に設けられるようにした場合を例にして示したが、第１Ａ／Ｄ変換回路６を第１増幅回路４の近傍に配置するようにしてもよく、このようにした場合、図５は図６のようになる。図６のようにすることにより、第１増幅回路４の出力信号をデジタル信号に変換し、配線を介して該デジタル信号を、離れた位置に配置された音声処理ＬＳＩ１７内のデジタル信号処理回路８に入力するようにしたことから、該配線に重畳するノイズを更に減少させることができる。なお、図６の場合、第１増幅回路４及び第１Ａ／Ｄ変換回路６を１つのＩＣに集積するようにしてもよい。また、第１マイクロフォン２、第１増幅回路４及び第１Ａ／Ｄ変換回路６の代わりに、Ａ／Ｄ変換回路を内蔵したＭＥＭＳマイクモジュールを使用すると共に、第２マイクロフォン３、第２増幅回路５及び第２Ａ／Ｄ変換回路７の代わりに、Ａ／Ｄ変換回路を内蔵したＭＥＭＳマイクモジュールを使用してもよい。
【００３６】
このように、本第１の実施の形態におけるノイズキャンセラは、所望の音を集音する第１マイクロフォン２から離れた位置に配置された周囲の雑音を集音する第２マイクロフォン３の出力信号を増幅する第２増幅回路５を、第２マイクロフォン３の近傍に配置するようにした。このことから、第２マイクロフォン３で集音された雑音信号を精度よく得ることができ、第１マイクロフォン２で集音された音から効果的に周囲の雑音を除去することができる。
【図面の簡単な説明】
【００３７】
【図１】本発明の第１の実施の形態におけるノイズキャンセラを有する集音装置の構成例を示した図である。
【図２】図１の集音装置を携帯電話機に使用した場合の例を示した図である。
【図３】図２における集音装置の各部の配置例を示した概略のブロック図である。
【図４】図１の集音装置を携帯電話機に使用した場合の他の例を示した概略のブロック図である。
【図５】図１の集音装置を携帯電話機に使用した場合の他の例を示した概略のブロック図である。
【図６】図１の集音装置を携帯電話機に使用した場合の他の例を示した概略のブロック図である。
【符号の説明】
【００３８】
１  集音装置
２  第１マイクロフォン
３  第２マイクロフォン
４  第１増幅回路
５  第２増幅回路
６  第１Ａ／Ｄ変換回路
７  第２Ａ／Ｄ変換回路
８  デジタル信号処理回路
１０  ノイズキャンセラ
１１  携帯電話機
１２  第１筐体部
１３  第２筐体部
１４  ヒンジ部
１５  ＬＣＤ表示器
１６  受話スピーカ
１７  音声処理ＬＳＩ
【図１】
2008035356.tif 000003
【図２】
2008035356.tif 000004
【図３】
2008035356.tif 000005
【図４】
2008035356.tif 000006
【図５】
2008035356.tif 000007
【図６】
2008035356.tif 000008